(57)【要約】      （修正有）【課題】大型製品の運搬時において荷扱いによる落下時などでも製品に発生する衝撃を緩和し、輸送時における製品損傷を防止可能なパレットおよび梱包装置を提供する。【解決手段】一対の上板２ａ、２ｂと、それぞれの上板と対向するように配置される一対の下板３ａ、３ｂと、前記上板及び下板とを接続する一対の中板１a、１ｂと、を備えたパレットにおいて、上下方向に並んで互いに対向する上板と下板に接触するようにして挟まれた緩衝部材５ａ、５ｂを備える構成のパレットおよびそのパレットを用いた梱包装置。【選択図】図３
2011084307.tif 000002
【特許請求の範囲】
【請求項１】
互いに対向して同一水平方向に延在するように配設され、被積載物が載置される一対の上板と、
前記一対の上板の下方でそれぞれの上板とは間隙をもって対向するように配置されるとともに、上板と同一方向に延在する一対の下板と、
前記上板及び下板の延在方向とは直行する水平方向に延在するとともに、上板と下板の互いに対向する端部同士を接続する一対の中板と、を備えたパレットにおいて、
前記一対の上板と一対の下板により、上下方向に並んで互いに対向する上板と下板との組が２つ形成され、
これら組の少なくとも一方の上板と下板とに接触するようにして挟まれた緩衝部材を備えたことを特徴とするパレット。
【請求項２】
前記緩衝部材は、接着剤で上板および下板の少なくとも一方に接合されることにより、上板および下板に対して位置決め固定されることを特徴とする請求項１記載のパレット。
【請求項３】
前記緩衝部材と上板および下板との接触箇所において、少なくとも一方に、凹部あるいは凸部が形成され、
前記緩衝部材は、該緩衝部材と上板および下板とが互いに接触箇所において嵌合することにより、上板および下板に対して位置決め固定されたことを特徴とする請求項１記載のパレット。
【請求項４】
前記一対の上板同士および下板同士の、少なくとも一方同士を連結するとともに、前記緩衝部材に接触するように配置された補強部材を備え、
前記緩衝部材と前記補強部材との接触箇所において少なくとも一方に、凹部あるいは凸部が形成され、
前記緩衝部材は、該緩衝部材と補強部材とが互いに接触箇所において嵌合することにより、補強部材に対して位置決め固定されたことを特徴とする請求項１〜３のいずれかに記載のパレット。
【請求項５】
前記２つの組の他方の上板と下板とに接触するようにして挟まれたもう一つの緩衝部材を備えたことを特徴とする請求項１〜４のいずれかに記載のパレット
【請求項６】
前記２つの緩衝部材が結合あるいは一体成形されたことを特徴とする請求項５記載のパレット。
【請求項７】
前記緩衝部材は、前記被積載物と上板との接触箇所のうち少なくとも一箇所の直下に配置されたことを特徴とする請求項１〜６のいずれかに記載のパレット。
【請求項８】
前記緩衝部材は、製品運搬車両のフォークが挿入される位置を避けて配置されたことを特徴とする請求項１〜７のいずれかに記載のパレット。
【請求項９】
前記緩衝部材は、合成樹脂を原料とする材料からなることを特徴とする請求項１〜８のいずれかに記載のパレット。
【請求項１０】
請求項１〜９のいずれかに記載されたパレットと、
前記被積載物を覆う保護カバーと、を備え
前記パレットと保護カバーの外側からバンドにより締結して一体化してなることを特徴とする梱包装置。
【発明の詳細な説明】
【技術分野】
【０００１】
この発明は、例えば、電気製品などを運搬する際の載置台として利用され、フォークリフトのような製品運搬車両により製品とともに運搬されるパレット及びそのパレットを含む梱包装置に関するものである。
【背景技術】
【０００２】
従来のパレットは、木製板材を前後・左右に組み合わせた構造であり、例えば給湯器などの大型製品を梱包する際は該パレット上面に被包装体が固定され、該パレットに固定された被包装体の上部から被せる角筒体と、底面が開放された箱体内部に被包装体の上部を保護する緩衝材が設けられ、前記被包装体の上部に被せる上部箱体と、前記角筒体及び前記上部箱体からなる包装箱の側面を接地させた場合に、前記緩衝部材と当接する上部箱体の外面接地部位に、取外し可能に設けられたカバー部材とを備え、前記カバー部材の一部を含めて外周をバンドで締結して一体化してなる構成であった。
（例えば、特許文献１参照）。
【先行技術文献】
【特許文献】
【０００３】
特開２００６−２９８３８３
【発明の概要】
【発明が解決しようとする課題】
【０００４】
従来のパレットでは、例えば給湯器のような大型製品の質量を支えるための材料として木材が用いられることが多かった。しかし、木材のみから構成されたパレットに製品を固定している従来の構造では、製品の輸送中に例えばトラックからの荷降ろし時などで製品が落下衝撃を受けるとき、緩衝効果がほぼ無いため、衝撃がそのまま製品に伝わって、製品が損傷する可能性がある。
【０００５】
また、より高い位置から落下した場合などには、木材の強度の限界値を超えてパレットの、例えば製品の脚部を載置する部分に割れが発生する可能性がある。木材が割れた状態では、割れた部分の沈み込みによる製品傾きの発生や、また荷扱い時などに再び衝撃が加わると、製品が損傷する可能性がある。
【０００６】
そこで、本発明は上記のような問題を解決するため、大型製品の運搬時において荷扱いによる落下時などでも製品に発生する衝撃を緩和し、輸送時における製品損傷を防止可能なパレットおよび梱包装置を提供する。
【課題を解決するための手段】
【０００７】
本発明に係るパレットおよび梱包装置は、互いに対向して同一水平方向に延在するように配設され、被積載物が載置される一対の上板と、前記一対の上板の下方でそれぞれの上板とは間隙をもって対向するように配置されるとともに、上板と同一方向に延在する一対の下板と、前記上板及び下板の延在方向とは直行する水平方向に延在するとともに、上板と下板の互いに対向する端部同士を接続する一対の中板と、を備えたパレットにおいて、前記一対の上板と一対の下板により、上下方向に並んで互いに対向する上板と下板との組が２つ形成され、これら組の少なくとも一方の上板と下板とに接触するようにして挟まれた緩衝部材を備えたことを特徴とするものである。
【発明の効果】
【０００８】
この発明に係わるパレットおよび梱包装置によれば、前記上板と前記下板との間に挟みこんだ緩衝部材を設けることにより、落下衝撃時に緩衝部材の効果により前記上板に固定される製品に発生する衝撃が緩和され、輸送時における製品損傷を防止することができる。
【図面の簡単な説明】
【０００９】
【図１】本発明に係わる梱包装置の組立図。
【図２】本発明に係わる梱包装置の組立後の斜視図。
【図３】本発明に係わるパレットの実施の形態１を示す斜視図。
【図４】図３のパレットの上板が割れた状態を示す斜視図。
【図５】本発明に係わるパレットの実施の形態２を示す斜視図。
【図６】図５の緩衝部材を示す拡大斜視図。
【図７】図５のパレットに上板補強材を追加した他の変形例を示す斜視図。
【図８】本発明に係わるパレットの実施の形態３を示す斜視図。
【発明を実施するための形態】
【００１０】
（実施の形態１）
図１および図２は本発明に係わる梱包装置の組立て前後の状態を示しており、これらの図に示されるように、脚部8a、8bを有する被積載物としての給湯器８が本発明に係わるパレット７の上に載置されボルト締め等により固定され、給湯器８の側面が外装包装材１１により覆われるとともに、給湯器８の上部が一対の緩衝材９を介して天キャップ包装材１０により覆われ、最後に全体外周がバンド１２で締結されて、梱包装置の組立てが完了するようになっている。
【００１１】
図３に示すように、パレット７は、互いに対向して同一水平方向に延在するように配設され、給湯器８が載置される一対の上板２a、２bと、これら上板２a、２bの下方でそれぞれの上板２a、２bとは間隙をもって対向するように配置されるとともに、上板２a、２bと同一方向に延在する一対の下板３a、３bを備えている。
本実施の形態１においては、給湯器８は図１、４における手前側に一本の脚部８ａ、奥側に２本の脚部８ｂを有しており、脚部８ａが上板２ａの中央付近に、脚部８ｂが上板２ｂの中心から少し左右均等に離れた箇所に載置されている。
また、パレット７は、上板２a、２b及び下板３a、３bの延在方向とは直行する水平方向に延在するとともに、上板２a、２bと下板３a、３bの互いに対向する端部同士を接続する一対の中板１a、１bと、を備えている。
さらに、パレット７は、一対の緩衝部材５a、５ｂを備えている。これら緩衝部材５a、５ｂは、上下方向に並んで互いに対向する上板２aと下板３a、並びに、上板２bと下板３ｂのそれぞれの組において、上下板に接触するようにして挟まれている。
【００１２】
また、緩衝部材５a、５ｂは、図示しない製品運搬車両のフォークが挿入される位置を避けて配置されるとともに、脚部８ａ、８ｂのうち、最も荷重のかかる脚部８ａの真下に緩衝部材５ａが配置されている。さらに、緩衝部材５a、５ｂは、接着剤で上板２a、２ｂおよび下板３a、３ｂの少なくともどちらか一方の板に接合されることにより、上板２a、２ｂおよび下板３a、３ｂに対して位置決め固定されている。
【００１３】
このように構成されたパレットにおいては、例えば、給湯器８を載置した状態で積み下ろし時や輸送時に底面から衝撃が受けた場合、緩衝部材５a、５ｂの緩衝効果により、給湯器８に衝撃が伝わるのを防止することができる。
【００１４】
また、本実施の形態においては、被積載物は給湯器８を例として説明したが、これに限られるものではなく、緩衝部材５a、５ｂの形状を変更することなく、種々の被積載物に適用することが可能であるのは勿論である。すなわち、被積載物を直接保護するような緩衝材を用いる場合には、被積載物の外形形状に合わせて緩衝材の形状を変更する必要があるのに対して、本実施の形態のパレットの緩衝部材５a、５ｂの形状を被積載物の形状に合わせて変更する必要がなく、共通化によりコストを低減することができる。必要であれば、被積載物の底部の形状や荷重分布に応じて適宜緩衝部材５a、５ｂの位置を変更すればよい。
【００１５】
一方、もし、図４に示すようにパレットの中で一番強い衝撃がかかり易い上板２aの脚部８ａを支える部分が割れてしまったとしても、その下部に緩衝部材５aを配置する構造であるため、その後に再び落下衝撃を受けた場合であっても緩衝部材５aが被積載物の脚部８aを支持し、衝撃を緩和することが可能である。さらに、緩衝部材５aが支持することによって上板２aの割れた部分の沈み込みを防止し、被積載物の脚部８aの傾きを抑制することができる。
【００１６】
また、上記実施の形態１においては、緩衝部材５a、５ｂは  図３に示すように上板２ａ、２ｂの中心付近にそれぞれ配置したが、これに限られるものではなく、緩衝部材は、一つであってもよく、３つ以上であってもよいのは勿論である。
【００１７】
また、本構成における緩衝部材は、通常発泡スチロールが用いられるが、ポリプロピレン、ポリウレタンなどの、好ましくは、パレットを構成する材料、例えば木材よりは緩衝性の高い種類の材料を用いることが可能であり、特定の材質に限定されるものではない。
【００１８】
（実施の形態２）  
図５および図６は、本発明に係るパレットの実施の形態２を示しているが、この実施の形態２においては、図１〜図４に示す構成と同一の部材には同じ符号を付して、その説明は省略する。
図５に示すパレット１７は、一対の下板３a、３bの中央同士を連結する補強部材４を備え、そこに、図６に示すような補強部材４との接触箇所に凹型のはめ込み部１５c、下板との接触箇所に凹型のはめ込み部１5ｄを設けた緩衝部材１５a、１５bを嵌合して位置決め固定をされている。
【００１９】
これにより、本実施の形態のパレット１７は接着剤や釘などの固定部材を用いることなく緩衝部材の位置固定が容易に可能となり、それによって組み立て・分解作業性に優れたパレットを提供することができる。
なお、図５では補強部材は下板同士を連結しているが、上板２a、2b同士を連結、または上板下板両方を連結してもよい。
また、図６は一面にのみ凹型のはめ込み部がある構造だが、両面に凹型のはめ込み部を設けてもよい。
【００２０】
また、上記実施の形態２においては、緩衝部材１５a、１５ｂは  図５に示すように上板２ａ、２ｂの中心付近にそれぞれ配置したが、これに限られるものではなく、緩衝部材は、一つであってもよく、３つ以上であってもよいのは勿論である。
【００２１】
また、今までの実施の形態では上下板材は被積載物の脚部の固定および緩衝部材を挟み込む用途のみに使用してきたが、これ以外にも図７に示すようにパレットを補強するための複数枚の上板補強材１４を使用する構成にしてもよい。
これによってパレットの強度増加とともに、最も荷重のかかる上板２a破損時も枠の形を保つので、そのまま製品運搬車両による運搬が可能である。
なお、図７では上板補強材を使用しているが、下板補強材、またはその両方を用いてもよい。
【００２２】
（実施の形態３）
図８は、本発明に係るパレットの実施の形態３を示しているが、この実施の形態３においては、図１〜図７に示す構成と同一の部材には同じ符号を付して、その説明は省略する。
実施の形態１および２では緩衝部材５a、５bまたは１５a、１５bを別個に設けていたが、図８に示す実施の形態３のパレット２７では、これらを一体成形した緩衝部材２５を用いている。
【００２３】
このように構成されたパレット２７においては、組み立て時の部品点数が少なくなるため、コストを低減することができる。また、組立作業をスムーズに行うことができる。
【００２４】
なお、図８では緩衝部材２５に凹型のはめ込み部を設けて下板と嵌合し位置決め固定されるが、上板と嵌合してもよい。また、凹型のはめ込み部を緩衝部材２５の両側に設ける構造にしてもよい。
また、緩衝部材２５に接着剤を塗布して位置決め固定される構造にしてもよい。
【符号の説明】
【００２５】
１a、１b  中板
２a、２b  上板
３a、３b  下板
４  補強部材
５a、５b  実施の形態１における緩衝部材
７  実施の形態１におけるパレット
８a、８b  給湯器
９  上部緩衝部材
１０  天キャップ包装材
１１  外装包装材
１２  バンド
１４  上板補強材
１５a、１５b  実施の形態２における緩衝部材
１５c、１５d  凹型のはめ込み部
１７  実施の形態２におけるパレット
２５  実施の形態３における緩衝部材
２７  実施の形態３におけるパレット
【図１】
2011084307.tif 000003
【図２】
2011084307.tif 000004
【図３】
2011084307.tif 000005
【図４】
2011084307.tif 000006
【図５】
2011084307.tif 000007
【図６】
2011084307.tif 000008
【図７】
2011084307.tif 000009
【図８】
2011084307.tif 000010